(57)【要約】【課題】臨場感にあふれた効果音を発生するパチンコ機とする。【解決手段】遊戯領域に沿って窓を開口するとともに表枠の背面から窓を覆う窓ユニット６を取付けたパチンコ機であって、窓ユニット６は、略円形に形成されたガラスフレーム７の一部に外側に張り出した部位にスピーカ取付板７１を設ける。高音域を発生する高音用スピーカ１０の磁石側をスピーカ取付板７１に固定するとともに、振動体側を前面ガラス８に密着して固定する。低音域を発生する低音用スピーカ１１を前面ガラス８と後面ガラス９との間隙に向けて固定する。これにより、効果音の内、高音域の効果音は前側ガラス８を直接振動して、臨場感にあふれた効果音を発生させる。【選択図】図３
2011125440.tif 000002
【特許請求の範囲】
【請求項１】
遊戯領域を備えた裏枠の前面を覆うとともに該遊戯領域に沿って開口する窓を設けた表枠に、該表枠の背面から該窓を覆う窓ユニットを取付けたパチンコ機において、
前記窓ユニットには、前面ガラスと後面ガラスとを間隔を隔てて取付け、該前面ガラスの背面にスピーカの振動体側を密着して固定したことを特徴とするパチンコ機。
【請求項２】
窓ユニットは、略円形に形成され、一部に外側に張り出したスピーカ取付板を設けたガラスフレームと、該スピーカ取付板を覆って取付けられた前面ガラスと、該スピーカ取付板の内周縁に沿って取付けられた後面ガラスとからなり、スピーカの磁石側を該スピーカ取付板に固定するとともに、該スピーカの振動体側を該前面ガラスに密着して固定したことを特徴とする請求項１記載のパチンコ機。
【請求項３】
高音域を発生する高音用スピーカの磁石側をスピーカ取付板に固定するとともに、該高音用スピーカの振動体側を前面ガラスに密着して固定し、低音域を発生する低音用スピーカを前面ガラスと後面ガラスとの間隔に向けて固定していることを特徴とする請求項２記載のパチンコ機。
【発明の詳細な説明】
【技術分野】
【０００１】
本発明は、パチンコ機、特に効果音を発生するパチンコ機に関するものである。
【背景技術】
【０００２】
従来からパチンコ機においては、遊戯の進行に伴い、その情況に応じた効果音を発生させて遊戯者に知らせている。
【０００３】
一般的なパチンコ機では、表枠の上部に設けたスピーカにより効果音を発生させている。ここで、特許文献１には、臨場感に優れる効果音を発生させるために、遊戯盤の前面を覆うガラス板の背面にスピーカの振動体を直接取付けて、ガラス板自体を振動体とした技術が開示されている。
【０００４】
また、特許文献２には、遊戯盤の遊戯領域を略全面的に覆うウインドウユニットとし、ウインドウユニットは、後面にガラス板を設け、そのガラス板の前面に透明板を間隔をもって取り付けるとともに、透明板にスピーカの振動体側を固定して、振動体の振動を直接透明板に伝達させている。これにより透明板が大型スピーカとして機能して、遊戯者に臨場感を与えることができるとしている。
【先行技術文献】
【特許文献】
【０００５】
【特許文献１】特開平７−８６０１号公報
【特許文献２】特開２００６−２０４７３４号公報
【発明の概要】
【発明が解決しようとする課題】
【０００６】
特許文献１及び特許文献２の発明では、ともに遊戯者の正面位置となるガラス（透明板）の全面をスピーカの振動体とするもので、臨場感にあふれた効果音を発生させることができる。
【０００７】
しかしながら、パチンコ機では、遊戯者の不正行為を防止するために、前面ガラスと後面ガラスとが間隔を隔てた二重ガラスになっている。従って、特許文献１及び特許文献２ともに、後面ガラスに取り付けられ、前面ガラスと後面ガラスの間の空気を振動している。そして、この空気の振動を前面ガラスに伝達させる発明であり、特に高音領域の効果音が明瞭に発生させることができない。このため、臨場感にあふれた効果音を発生するには未だ不十分であった。
【０００８】
そこで、本発明では、特に高音領域の効果音を直接前面ガラスを振動させることによって、臨場感にあふれたパチンコ機とすることを目的としている。
【課題を解決するための手段】
【０００９】
請求項１の発明では、遊戯領域を備えた裏枠の前面を覆うとともに遊戯領域に沿って開口する窓を設けた表枠に、表枠の背面から窓を覆う窓ユニットを取付けたパチンコ機において、窓ユニットには、前面ガラスと後面ガラスとを間隔を隔てて取付け、前面ガラスの背面にスピーカの振動体側を密着して固定している。この構成により前面ガラスを直接振動させて効果音を発生させる。
【００１０】
請求項２の発明では、窓ユニットは、略円形に形成され、一部に外側に張り出したスピーカ取付板を設けたガラスフレームと、スピーカ取付板を覆って取付けられた前面ガラスと、スピーカ取付板の内周縁に沿って取付けられた後面ガラスとからなり、スピーカの磁石側を該スピーカ取付板に固定するとともに、該スピーカの振動体側を該前面ガラスに密着して固定している。この構成により、前面ガラスに固定されたスピーカは、窓の外方に配置されて、表枠によって覆い隠される。
請求項３の発明では、高音域を発生する高音用スピーカの磁石側をスピーカ取付板に固定するとともに、高音用スピーカの振動体側を前面ガラスに密着して固定し、低音域を発生する低音用スピーカを前面ガラスと後面ガラスとの間隔に向けて固定している。これにより、二重ガラスの内、前面ガラスを直接振動させて、臨場感にあふれた効果音は発生させることができる。
【発明の効果】
【００１１】
請求項１の発明では、遊戯領域を備えた裏枠の前面を覆うとともに遊戯領域に沿って開口する窓を設けた表枠に、表枠の背面から窓を覆う窓ユニットを取付けたパチンコ機において、窓ユニットには、前面ガラスと後面ガラスとを間隔を隔てて取付け、前面ガラスの背面にスピーカの振動体側を密着して固定している。この構成により前面ガラスを直接振動させて臨場感に優れた効果音を発生させることができる。
【００１２】
請求項２の発明では、窓ユニットは、略円形に形成され、一部に外側に張り出したスピーカ取付板を設けたガラスフレームと、スピーカ取付板を覆って取付けられた前面ガラスと、スピーカ取付板の内周縁に沿って取付けられた後面ガラスとからなり、スピーカの磁石側を該スピーカ取付板に固定するとともに、該スピーカの振動体側を該前面ガラスに密着して固定している。この構成により、前面ガラスに固定されたスピーカは、表枠によって覆い隠され、美観に優れたパチンコ機とすることができる。
請求項３の発明では、高音域を発生する高音用スピーカの磁石側をスピーカ取付板に固定するとともに、高音用スピーカの振動体側を前面ガラスに密着して固定し、低音域を発生する低音用スピーカを前面ガラスと後面ガラスとの間隔に向けて固定している。この構成により、効果音の内、高音域の効果音は直接前側ガラスを振動用スピーカとし、前面ガラスを直接振動させて、さらに臨場感にあふれた効果音は発生させることができる。
【図面の簡単な説明】
【００１３】
【図１】図１は本実施例のパチンコ機の分離斜視図である。
【図２】図２は窓ユニットの背面図である。
【図３】図３は窓ユニットの分離斜視図である。
【図４】図４は窓ユニットの一部の断面図である。
【図５】図５は図２のＡーＡ線断面図である。
【図６】図６は図２のＢ−Ｂ線断面図である。
【発明を実施するための形態】
【実施例】
【００１４】
以下、本発明の一実施例を詳細に説明する。
【００１５】
図１は、パチンコ機の分離斜視図であって、外枠１の左端部の上下に設けられたヒンジにより、裏枠２が開閉可能に取り付けられている。裏枠２は、ほぼ外枠１の内側全体を覆い、遊戯をするのに必要な多くの部品が配設されていて、中央部にはほぼ円形の遊戯領域３が設けられている。また、外枠１の左側の上下に設けられたヒンジ１ａ、１ａには、表枠４が開閉可能に取付けられている。
【００１６】
本実施例の表枠４では、裏枠２の前面全体を覆って取り付けられていて、下方に上球受け皿４ａが設けられるともに、その下方に下球受け皿４ｂが設けられている。また、遊戯球を打ち出す操作ハンドル４ｃなどが配置されている。そして表枠４の中央には、遊戯領域３を臨む略円形の窓５が開口されていて、遊戯領域３の範囲を視認可能とされている。この表枠４には、窓５を覆う窓ユニット６が背面から取付け固定されている。
【００１７】
図２及び図３は窓ユニット６を示し、窓ユニット６は、ガラスフレーム７と前面ガラス８と後面ガラス９により大略構成されている。ガラスフレーム７の外周は略円形に形成されたフレーム部７０により構成され、図３において右下部分が、円形から外側に張り出してスピーカ取付部７０ａが連続して設けられている。そしてこのスピーカ取付部７０ａの内側には、フレーム部７０の円周に沿って連続する内縁を構成する板状のスピーカ取付板７１が一体形成されている。なお、スピーカ取付板７１は、表枠４の窓５の外方に配置されていて、表枠４に覆われて遊戯者からは視認することができない部位とされている。
【００１８】
このガラスフレーム７の前面側には、フレーム部７０からスピーカ取付部７０ａの外縁に沿って段差による前面密着面７２が形成されて、前面ガラス８の周縁を密着接合している。
【００１９】
前面ガラス８は、ガラスフレーム７のフレーム部７０からスピーカ取付部７０ａに連続して設けられた前面密着面７２に沿って成形されている。そして、図４に示すように、ガラスフレーム７の前面側に接着固定されている。すなわち、図３において右下部にはスピーカ取付板７１を覆う延長部８ａが設けられている。また、延長部８ａには、取付孔８ｂが開口されている。
【００２０】
一方、ガラスフレーム７の裏面側にはフレーム部７０からスピーカ取付板７１の内縁に沿って段差による後面密着面７３が形成されている。
【００２１】
後面ガラス９は、ガラスフレーム７の後面密着面７３に沿って略円形に成形されている。そして、図４に示すように、ガラスフレーム７の後面側に接着固定されている。これにより、後面ガラス９はスピーカ取付板７１の内周縁に沿って取り付けられる（図６参照）。この結果、前面ガラス８と後面ガラス９の二枚のガラスによって形成される間隙空間により隔てられて平行に取付けられる。
【００２２】
図３に示すように、スピーカ取付板７１には、高音スピーカ取付孔７２と、その両側にそれぞれ低音スピーカ取付孔７３，７３が開口されている。この高音スピーカ取付孔７２には高音域と中音域の高音用スピーカ１０が取付けられ、また、低音スピーカ取付孔７３、７３には、低位音域と中音域の２個の低音用スピーカ１１、１１が取付けられている。そして、これらのスピーカ１０，１１，１１を覆う取付カバー１２がスピーカ取付板７１に固定されている。
【００２３】
本実施例では、高音用スピーカ１０は、図５に示しているように、磁石側１０ａが取付カバー１２に固定され、振動体側１０ｂが前面ガラス８の後述する延長部８ａに開口した取付孔８ｂに密着してねじ８ｃによりねじ止めされている。従って、高音用スピーカ１０の振動体側１０ｂにより前面ガラス８を直接振動させて、前面ガラス８自体が振動体として機能する。
【００２４】
低音用スピーカ１１、１１は、図６に示しているように、スピーカ取付板７１にそれぞれ固定されている。従って、低音スピーカ１１による効果音は、前面ガラス８と後面ガラス９の間の間隙内の空気を介して前面ガラス８を振動して発生させる。低音域では、前面ガラス８と後面ガラス９の間の間隙内の空気を介して前面ガラス８を振動しても音質の劣化は少ないとの理由による。なお、この実施例では、小型の低音用スピーカ１１を２個使用した例を示しているが、取付空間を大きく取れる場合には、１個の大型の低音用スピーカを使用してもよい。
【００２５】
なお、本実施例では、表枠４に覆われる部位にスピーカ取付板７１を配置し、このスピーカ取付板７１に高音用スピーカ１０と低音用スピーカ１１の双方を固定しているために、遊技者から高音用スピーカ１０と低音用スピーカ１１の双方ともに隠されて、美観に優れたパチンコ機とすることができる。
【００２６】
また、この実施例では、迫力のある効果音を発生させるために高音用スピーカ１０と低音用スピーカ１１の二種類のスピーカを使用したが、一つの全音域のスピーカを使用してもよい。その場合にはこの実施例の高音スピーカ１１と同様に振動側をガラスに密着して取付ける。
【符号の説明】
【００２７】
２…裏枠  ３…遊戯領域  ４…表枠  ５…窓  ６…窓ユニット  ７…ユニット枠  ８…前面ガラス  ９…後面ガラス  １０…高音用スピーカ  １１…低音用スピーカ  ７１…スピーカ取付板
【図１】
2011125440.tif 000003
【図２】
2011125440.tif 000004
【図３】
2011125440.tif 000005
【図４】
2011125440.tif 000006
【図５】
2011125440.tif 000007
【図６】
2011125440.tif 000008